(57)【要約】【課題】本発明の課題は、可撓管を被覆する保護カバーを出来るだけ小容積にすることにある。【解決手段】直方体の対角線に沿って分割した形状の分割部材７，７の一対によって可撓管１の保護カバー６を構成する。  このような構成では、保護カバー６の縦横巾を可撓管挿通部１５の径と略同じにしても、分割部材７，７の相互合わせ面７１，７１を巾広にして強度を確保することが出来る。【選択図】  図４
2005057933.tif 000002
【特許請求の範囲】
【請求項１】
直方体の対角線に沿って分割した形状の分割部材の一対からなり、該分割部材の一対にはそれぞれ縦断面半円形状の可撓管嵌合部が設けられ、該一対の分割部材を該可撓管嵌合部を対面させて重ね合わせると、双方の分割部材の可撓管嵌合部によって縦断面円形の可撓管挿通部が形成されることを特徴とする可撓管の保護カバー。
【請求項２】
上記分割部材を重ね合わせて構成される直方体の前後面は正方形であり、該正方形の一辺の長さは嵌合される可撓管の径に略等しく設定されている請求項１に記載の可撓管の保護カバー。
【請求項３】
該保護カバーに嵌合される可撓管は環状凹溝と環状凸条とが交互に配置されている独立波付け管であり、上記分割部材の可撓管嵌合部内周には、該可撓管の環状凹溝底周面に沿う補強リブの複数個が設けられている請求項１または２に記載の可撓管の保護カバー。
【請求項４】
該可撓管の一端には受け口部、他端には差し口部が設けられ、該保護カバーは該可撓管の受け口部に被着され、該分割部材の受け口部嵌合部内周には、該受け口部周面に沿う補強リブの複数個が設けられている請求項１に記載の可撓管の保護カバー。
【請求項５】
該分割部材を重ね合わせて構成される直方体の前後面は正方形であり、該正方形の一辺の長さは嵌合される可撓管の受け口部の径に略等しく設定されている請求項４に記載の可撓管の保護カバー。
【請求項６】
上記一対の分割部材には、該一対の分割部材を重ね合わせた時係合する相互係合手段が設けられている請求項１〜５に記載の可撓管の保護カバー。
【請求項７】
ハンドホール間に可撓管の複数本を連結して差渡す構成であって、該可撓管の一端には差し口部、他端には受け口部が設けられ、該可撓管の外側に長手方向に沿って請求項１，２，３，６に記載の保護カバーの複数個を被着固定し、該可撓管の受け口部には請求項４または５に記載の保護カバーを被着固定し、該可撓管の一対を連結する時には一方の差し口部を他方の受け口部に内側嵌合し、このようにして複数本の可撓管を連結すると共にこの状態で該複数本の可撓管は各保護カバーの可撓管挿通部内に挿通状態にあり、双方のハンドホールにあっては、該ハンドホールの開口部に受け口部材を取付け、一方のハンドホールの開口部に取付けられている受け口部材に一端部に位置する保護カバーから外出している可撓管の差し口部を嵌着し、他方のハンドホールにあってはハンドホール間距離に応じて端部に位置する可撓管を切断し、該可撓管の外端部には可撓管の受け口ブロックと該受け口ブロックの一側から差出された差し口部とからなる専用継手を取付け、該専用継手の差し口部を該ハンドホールの受け口部材に内側嵌合し、このようにして一対のハンドホール間に可撓管を差渡したことを特徴とする配管構造。
【請求項８】
上記可撓管の外端部に取付けられる専用継手の受け口ブロックの縦断面形状は、上記保護カバーの縦断面形状と同一にされている請求項７に記載の配管構造。
【発明の詳細な説明】
【技術分野】
【０００１】
本発明は、内部にケーブルが送通される可撓管であるケーブル保護管に被着される保護カバー、および該保護カバーを使用した該ケーブル保護管の配管構造に関するものである。
【背景技術】
【０００２】
例えば地中にケーブル等を布設するには、従来より該ケーブルを保護するため、地中に埋設した可撓管（ケーブル保護管）内にケーブルを引込んで布設することが行われている。
この場合、まず配管溝を掘設し、該配管溝内に可撓管を配管し、該可撓管内にケーブルを引込むと共に該配管溝を土砂によって埋め戻す。
しかし該可撓管の埋設深さが路面より３０cm以内となる場合には、該可撓管も土圧等によって変形し易く、また該可撓管を複数本並設する場合には、該可撓管は縦断面円形なので管と管の間、あるいは管と配管溝底面との間に空隙が生じ、該可撓管を埋設する場合上記管と管、あるいは管と配管溝底面との空隙に良質の土砂を充填し、確実に締め固めを行うことが必要である。
管と管、あるいは管と配管溝底面との間の空隙に完全に土砂が充填されていないと、管は周りから均等な土圧を及ぼされず、土圧にむらが生ずるから、管はより顕著に変形し易くなる。
【０００３】
〔従来の技術〕
上記可撓管の変形等を防止するために、従来では、図１５に示すように縦断面四角形状の保護管カバー(36)を可撓管(1) に被着する構成が提供されている。該保護カバー(36)は上下に二分割されており、分割部材(37,37) の上下面には断面半円形状の可撓管挿通溝(38,38) が設けられており、該分割部材(37,37) を重ね合わせると双方の可撓管挿通溝(38,38) によって、断面円形の可撓管挿通孔(95)が形成される（例えば特許文献１、２参照）。
【０００４】
【特許文献１】特開平１１−２０５９８２号公報（図４）
【特許文献２】特許第３１６１９５０号公報（図３）
【発明の開示】
【発明が解決しようとする課題】
【０００５】
上記従来の保護カバー(36)にあっては、縦断面四角形状であるから、複数個並設しても保護カバー(36)間、あるいは保護カバー(36)と配管設備との間に空隙が生じないので、該保護カバー(36)は土砂で略完全に埋設され、土圧によって変形しにくゝなる。
しかしながら、上記従来の保護カバー(36)にあっては一対の分割部材(37,37) の合わせ面(37A,37A) を巾広にしないと、合わせ面(37A,37A) から分割部材(37,37) が破損し易い。何となれば該分割部材(37,37) の合わせ面(37A,37A) には土圧が垂直に及ぼされるからである。そして上記一対の分割部材(37,37) の合わせ面(37A,37A) を巾広にすると、配管体積が拡大し、コンパクトな配管が出来ないと云う問題点がある。
【課題を解決するための手段】
【０００６】
本発明は上記従来の課題を解決するための手段として、直方体の対角線に沿って分割した形状の分割部材(7,7) の一対からなり、該分割部材(7,7) の一対にはそれぞれ縦断面半円形状の可撓管嵌合部(10,12) が設けられ、該一対の分割部材(7,7) を該可撓管嵌合部(10,12) を対面させて重ね合わせると、双方の分割部材(7,7) の可撓管嵌合部(10,12) によって縦断面円形の可撓管挿通部(15)が形成される可撓管(1) の保護カバー(6) を提供する。
上記分割部材(7,7) を重ね合わせて構成される直方体の前後面は正方形であり、該正方形の一辺の長さは嵌合される可撓管(1) の径に略等しく設定されていることが望ましく、また該保護カバー(6) に嵌合される可撓管(1) は環状凹溝(3) と環状凸条(2) とが交互に配置されている独立波付け管であり、上記分割部材(7,7) の可撓管嵌合部(10,12) 内周には、該可撓管(1) の環状凹溝(3) 底周面に沿う補強リブ(11)の複数個が設けられていることが望ましい。
更に該可撓管(1) の一端には受け口部(4) 、他端には差し口部(5) が設けられ、該保護カバー(6A)は該可撓管(1) の受け口部(4) に被着され、該分割部材(7A,7A) の受け口部嵌合部内周には、該受け口部周面に沿う補強リブ(10A,12A) の複数個が設けられていることが望ましく、該分割部材(7A,7A) を重ね合わせて構成される直方体の前後面は正方形であり、該正方形の一辺の長さは嵌合される可撓管(1) の受け口部(4) の径に略等しく設定されていることが望ましい。
また上記一対の分割部材(7,7) 、(7A,7A) には、該一対の分割部材(7,7) 、(7A,7A) を重ね合わせた時係合する相互係合手段(13,14,13A,14A) が設けられていることが望ましい。
【０００７】
本発明にあっては、更にハンドホール(20,20) 間に可撓管(1) の複数本を連結して差渡す構成であって、該可撓管(1) の一端には差し口部(5) 、他端には受け口部(4) が設けられ、該可撓管(1) の外側に長手方向に沿って上記保護カバー(6) の複数個を被着固定し、該可撓管(1) の受け口部(4) には上記保護カバー(6A)を被着固定し、該可撓管(1) の一対を連結する時には一方の差し口部(5) を他方の受け口部(4) に内側嵌合し、このようにして複数本の可撓管(1) を連結すると共にこの状態で該複数本の可撓管(1) は各保護カバー(6,6A)の可撓管挿通部(15,15A)内に挿通状態にあり、双方のハンドホール(20,20) にあっては、該ハンドホール(20)の開口部(21)に受け口部材(22)を取付け、一方のハンドホール(20)の開口部(21)に取付けられている受け口部材(22)に一端部に位置する保護カバー(6) から外出している可撓管(1) の差し口部(5) を嵌着し、他方のハンドホール(20)にあってはハンドホール間距離に応じて端部に位置する可撓管(1) を切断し、該可撓管(1) の外端部には可撓管(1) の受け口ブロック(24)と該受け口ブロック(24)の一側から差出された差し口部(25)とからなる専用継手(23)を取付け、該専用継手(23)の差し口部(25)を該ハンドホール(20)の受け口部材(22)に内側嵌合し、このようにして一対のハンドホール(20,20) 間に可撓管(1) を差渡した配管構造が提供される。上記配管構造にあっては、上記可撓管(1) の外端部に取付けられる専用継手(23)の受け口ブロック(24)の縦断面形状は、上記保護カバー(6) の縦断面形状と同一にされていることが望ましい。
【発明の効果】
【０００８】
〔作用〕
本発明の保護カバー(6,6A)は、直方体の対角線に沿って分割した形状の分割部材(7,7) 、(7A,7A) の一対からなり、該分割部材(7,7,7A,7A) を重ね合わせて直方体の保護カバー(6,6A)を構成する。上記保護カバー(6,6A)にあっては、一対の分割部材(7,7,7A,7A) の合わせ面(71,71,71A,71A) は直方体の前後面の対角線に沿う。そうすると該分割部材(7,7,7A,7A) の合わせ面(71,71,71A,71A) を巾広に設定しても、該保護カバー(6,6A)の縦断面積は拡大しない。
上記直方体保護カバー(6,6A)の前後面を正方形とし、該正方形の一辺の長さを嵌合される可撓管(1) の径に略等しく設定すると、該保護カバー(6,6A)は最もコンパクトになる。
可撓管(1) は、保護カバー(6,6A)を構成する上記一対の分割部材(7,7,7A,7A) の可撓管嵌合部(10,12,10A,12A) によって形成される可撓管挿通部(15,15A)内に挿通されているが、該可撓管嵌合部(10,12,10A,12A) の内周に補強リブ(11,11A)を設けておくと、厚みを薄くして軽量化出来る。また該補強リブ(11,11A)の各々は可撓管(1) の環状凹溝(3,4A)に嵌合するので、該保護カバー(6,6A)は土圧によって変形しにくゝなる。
【０００９】
また該一対の分割部材(7,7,7A,7A) の重ね合わせ面(71,71,71A,71A) は直方体の対角線上にあるが、相互係合手段(13,14) 、(13A,14A) によって双方の分割部材(7,7) 、(7A,7A) を重ね合わせた状態で係合すれば、双方の分割部材(7,7) 、(7A,7A) 相互のずれが阻止される。
上記したように可撓管(1) の複数本は保護カバー(6,6A)の複数個に被覆された状態で複数本連絡してハンドホール(20,20) 間に差渡される。可撓管(1,1) 相互の連結は、該可撓管(1) の一端に差し口部(5) を設け、他端に受け口部(4) を設け、連結すべき一対の可撓管(1) の一方の受け口部(4) に他方の差し口部(5) を内側嵌合する。
このようにして該可撓管(1,1) は該保護カバー(6,6A)で完全に被覆されるので、土被り２００mmの浅埋設が可能になる。
【００１０】
ハンドホール(20,20) に可撓管(1) を接続するには、双方のハンドホール(20,20) の開口部(21)に受け口部材(22)をそれぞれ取付け、一方のハンドホール(20)にあっては、該受け口部材(22)に該可撓管(1) の差し口部(5) を嵌着する。他方のハンドホール(20)にあっては、ハンドホール(20,20) 間距離に対応して端部に位置する可撓管(1) を切断し、該可撓管(1) の外端部に専用継手(23)を取付け、該専用継手(23)の差し口部(25)を該ハンドホール(20)の受け口部材(22)に内側嵌合する。
上記配管構造にあっては、保護カバー(6,6A)は直方体であるから、並設あるいは積設される保護カバー(6,6) 、(6A,6A) 同志は殆ど空隙を生じることなく密接し、また保護カバー(6,6A)底面と配管溝の底面とも殆ど空隙を生じることなく密接する。
【００１１】
〔効果〕
本発明では、ケーブル等の挿通する可撓管の保護カバーを直方体を対角線に沿って分割した一対の分割部材によって構成するから、保護カバーの外寸を可撓管挿通部の外径と略同じにして最コンパクト状態にしても、分割部材相互の合わせ面を巾広にして強度を確保することが出来る。
【発明を実施するための最良の形態】
【００１２】
本発明を図１〜図９に示す一実施例によって説明すれば、可撓管(1) は図１に示すように凸環部(2) と凹環部(3) とが長手方向に沿って交互に配置されている独立波付け管であって、ポリエチレン、ポリプロピレン、ポリエステル、ポリ塩化ビニル等の合成樹脂からなる。該可撓管(1) の一端には受け口部(4) が設けられ、他端には差し口部(5) が設けられている。
【００１３】
図２に示すように該受け口部(4) の中間内周には外周を凹陥させることによって凹環部(4A)が形成されており、また該差し口部(5) の前端部には外周を凹陥させて係止リング溝(5A)、中間部には外周を凹陥させてゴム輪装着溝(5B)が形成されている。
【００１４】
図３に示すのは保護カバー(6) の分割部材(7) であって、ポリエチレン、ポリプロピレン、ポリエステル、ＡＢＳ樹脂、ポリ塩化ビニル等の合成樹脂またはそれらの再生樹脂からなり、該分割部材(7) は相互直交する側面板(8,8) と前後面板(9,9) とからなり、該前後面板(9,9) は二等辺直角三角形であり、該前後面板(9,9) の斜辺からは可撓管嵌合部である半円形状の可撓管挿通切欠き(10,10) が設けられている。
更に該分割部材(7) の前後面板(9,9) 間には、補強リブ(11)の複数個が設けられている。各補強リブ(11)は二等辺直角三角形を斜辺から切欠いて可撓管嵌合部である半円形状の可撓管挿通切欠き(12)が設けられている。上記補強リブ(11)によって該分割部材(7) は土圧等による変形を防止され、側面板(8,8) を薄くして軽量化することが出来る。
【００１５】
該分割部材(7) は一対準備され、図４に示すように斜辺同志を合わせて重ね合わせ、一方の係止爪(13)を他方の係合溝穴(14)に係合することによって固定する。この固定は可撓管(1) を両側から挟んで行われる。また一対の分割部材(7,7) の端辺相互をヒンジによって、結合しておいてもよい。
このようにして該分割部材(7) の一対を重ね合わせ、前後面正方形の直方体形状の保護カバー(6) を構成し、該一対の分割部材(7,7) の前後面板(9,9) の可撓管挿通切欠き(10,10) 間と補強リブ(11,11) の可撓管挿通切欠き(12,12) 間によって該保護カバー(6) には可撓管挿通部(15)が形成される。該直方体形状は稜線が丸みを持った形状であってもよい。
上記構成にあっては、図４にみるように保護カバー(6) の縦横巾（正方形状前後面の一辺の長さ）を該可撓管挿通部(15)の径（可撓管(1) の径）に略等しく設定したとしても、一対の分割部材(7,7) の重ね合わせ面(71,71) は巾広にとることが出来る。
【００１６】
上記複数個の可撓管(1) は相互連結されるが、この場合図２に示すように一方の可撓管(1) の差し口部(5) を他方の可撓管(1) の受け口部(4) に内側嵌合する。該一方の可撓管(1) の差し口部(5) の係止リング溝(5A)にはリング基部(16)から係止爪(17)の複数個を斜め上方に差出した係止リング(18)が装着されるが、該リング基部(16)は図５に示すようにパルス波状に屈曲されており径が弾性的に拡縮可能にされており、該係止リング(18)を該係止リング溝(5A)に装着する時には、該リング基部(16)の径を拡大せしめる。そして該係止リング(18)の係止爪(17)が他方の可撓管(1) の受け口部(4) の凹環部(4A)に係合することによって、可撓管(1,1) 双方の抜け止めが行われ、また該一方の可撓管(1) の差し口部(5) のゴム輪装着溝(5B)にはゴム輪(19)が装着され、可撓管(1,1) 相互連結部の水密性を確保している。
また可撓管(1) の差し口部(5) の内径は、該可撓管(1) の凹環部(3) の内径に略等しく設定されており、該可撓管(1) の受け口部(4) の外径は該可撓管(1) の凸環部(2) の外径と略等しく設定されているので、保護カバー(6) は可撓管(1) 相互連結部において拡径される必要がなく、省スペースである。
【００１７】
保護カバー(6) の複数個は該可撓管(1) の複数個に被着されるが、可撓管(1) の受け口部(4) には図６および図７に示すように受け口部(4) 専用の保護カバー(6A)が被着される。該保護カバー(6A)は保護カバー(6) と同様一対の分割部材(7A,7A) からなり、該分割部材(7A)は相互直交する側面板(8A,8A) と前後面板(9A,9A) とからなり、該前後面板(9A,9A) は二等辺直角三角形であり、該前後面板(9A,9A) の斜辺からは可撓管受け口部(4) の嵌合部である半円形状の受け口部嵌合切欠き(10A,10A) が設けられている。更に分割部材(7A)の前後面板(9A,9A) 間には補強リブ(11A) の複数個が設けられている。各補強リブ(11A) は二等辺三角形を斜辺から切欠いて受け口部嵌合部である半円形状の受け口部嵌合切欠き(12A) が設けられている。該分割部材(7A)の一対は斜辺同志を合わせて重ね合わせ、一方の係止爪(13A) を他方の係合溝穴(14A) に係合することによって固定する。
保護カバー(6,6A)の被着は、可撓管(1) の連結前、連結中、連結後のいづれにおいても行われてよい。通常保護カバー(6,6A)の被着は、一方の分割部材(7,7A)の可撓管嵌合部(10,12,10A,12A) 上に可撓管(1) を載せ（嵌合し）、その上から他方の分割部材(7,7A)を被着することによって行われる。
【００１８】
上記複数本の相互連結されかつ保護カバー(6) によって被着された可撓管(1) は、図８に示されるように、ハンドホール(20,20) 間に差渡される。この場合、図９に示すようにハンドホール(20)の開口部である連絡口(21)には受け口部材(22)が取付けられる。該受け口部材(22)は根端部よりの内周に外周を凹陥させることによって凹環部(22A) が設けられ、根端部にはベルマウス部(22B) が形成されている。
図８左端に位置する該可撓管(1) の差し口部(5) は、図１０に示すように保護カバー(6) の可撓管挿通口(15)から外出させ、該差し口部(5) は左側のハンドホール(20)の受け口部材(22)に内側嵌合されるが、該可撓管(1) の差し口部(5) の係止リング溝(5A)に装着されている係止リング(18)の係止爪(17)が、該受け口部材(22)の凹環部(22A) に係合して、該可撓管(1) の受け口部材(22)からの抜け止めが行われ、該差し口部(5) のゴム輪装着溝(5B)に装着されているゴム輪(19)によって、該左側のハンドホール(20)と該可撓管(1) との接続部分の水密性が確保される。
【００１９】
他方のハンドホール(20)と可撓管(1) との接続にあっては、ハンドホール(20,20) 間の距離に対応して、図８右端に位置する該可撓管(1) を切断し、そこへ図１３に示すように専用継手(23)を取付ける。該専用継手(23)は可撓管(1) の受け口ブロック(24)と、該受け口ブロック(24)の一端から差出されている差し口部(25)とからなり、該受け口ブロック(24)は直方体箱形であり、該受け口ブロック(24)内にゴム輪を外挿した可撓管(1) の切断端が挿着され、図１４に示すように該差し口部(25)の外周中間には一対のリブ(25A,25A) 、およびリブ(25B,25B) が設けられ、その間はゴム輪(19A) および係止リング(18B) の装着部となっている。そして該専用継手(23)の差し口部(25)は右側のハンドホール(20)の受け口部材(22)に内側嵌合される。該専用継手(23)の差し口部(25)のゴム輪(19A) は、該ハンドホール(20)と該可撓管(1) との接続部分の水密性を確保し、更に差し口部(25)の係止リング(18B) によって受け口部材(22)から差し口部(25)が抜け出すことを阻止される。該専用継手(23)の受け口部材(22)への挿入は、可撓管(1) を撓ませることによって出来るが、該専用継手(23)に遣り取り性能を付加してもよい。
【００２０】
可撓管(1) を多条に形成する場合は図１１および図１２に示すように受け口部材(22)の複数を前もってレジンコンクリートに埋め込んだブロック体(26)をハンドホール(20)の開口壁にレジンコンクリート(27)等で設置してもよい。
【００２１】
このようにしてハンドホール(20,20) 間に保護カバー(6) によって被覆された可撓管(1) の複数本を差渡し、該可撓管(1) 内にはケーブル、電線等を挿通する。該可撓管(1) は配管溝中に横並びに並設され、あるいは上下に積設される場合があるが、該保護カバー(6) は直方体なので、密接して横並びあるいは上下に積むことが出来る。したがって管と管との間、あるいは保護カバー(6) 底面と配管溝底面との間に空隙が殆ど生じないので、土砂によって配管溝を埋め戻しする時、均一に完全に充填出来、土圧によって保護カバー(6) は変形しにくゝなる。
このようにした該可撓管(1,1) は該保護カバー(6,6A)で完全に被覆されるので、土被り２００mmの浅埋設が可能になる。
また保護カバー(6) は所定の長さに設定され、所定の長さの可撓管(1) に複数個被着されているので、保護カバー(6) を被着した可撓管(1) であっても若干の可撓性が保有され、施工上必要な３ｍＲの曲げは確保出来る。可撓管(1) の口径が５０〜１３０mmである場合、上記曲げを確保するには、該保護カバー(6) の長さ（管軸方向）は１２５〜２５０mmに設定することが好ましい。
【産業上の利用可能性】
【００２２】
本発明は地中にケーブル等を布設する際に適用される保護カバーに関する。
該保護カバーはケーブル等の保護する可撓管の外側に複数個被着され、該可撓管を土圧から保護する。
【図面の簡単な説明】
【００２３】
図１〜図１４は本発明の一実施例を示すものである。
【図１】可撓管一部省略側面図
【図２】受け口部と差し口部との接続状態の側断面図
【図３】保護カバーの分割部材の斜視図
【図４】保護カバーの斜視図
【図５】係止リング斜視図
【図６】可撓管受け口部に受け口部専用保護カバーを被着した状態の側断面図
【図７】受け口部専用保護カバーの分割部材の斜視図
【図８】ハンドホールに可撓管を差渡した状態（上半部）の説明図
【図９】ハンドホール連絡口に受け口部材を取付けた状態の側断面図
【図１０】保護カバーで被覆した可撓管の一端部分斜視図
【図１１】受け口部材を複数個埋め込んだブロックの側断面図
【図１２】受け口部材を複数個埋め込んだブロックの斜視図
【図１３】保護カバーで被覆した可撓管の他端部分斜視図
【図１４】専用継手上半部切欠き側面図
【図１５】従来例の斜視図
【符号の説明】
【００２４】
1              可撓管
2              凸環部（環状凸条）
3              凹環部（環状凹溝）
4              受け口部
5              差し口部
6,6A           保護カバー
7,7A           分割部材
71,71A         重ね合わせ面
10,10A,12,12A  可撓管嵌合部（可撓管挿通切欠き）
11,11A         補強リブ
13,13A,14,14A  係合手段
15,15A         可撓管挿通部
20             ハンドホール
21             開口部（連絡口）
22             受け口部材
23             専用継手
24             受け口ブロック
25             差し口部
【図１】
2005057933.tif 000003
【図２】
2005057933.tif 000004
【図３】
2005057933.tif 000005
【図４】
2005057933.tif 000006
【図５】
2005057933.tif 000007
【図６】
2005057933.tif 000008
【図７】
2005057933.tif 000009
【図８】
2005057933.tif 000010
【図９】
2005057933.tif 000011
【図１０】
2005057933.tif 000012
【図１１】
2005057933.tif 000013
【図１２】
2005057933.tif 000014
【図１３】
2005057933.tif 000015
【図１４】
2005057933.tif 000016
【図１５】
2005057933.tif 000017
【手続補正書】
【提出日】平成15年8月26日(2003.8.26)
【手続補正１】
【補正対象書類名】図面
【補正対象項目名】図１
【補正方法】変更
【補正の内容】
【図１】
2005057933.tif 000018
【手続補正２】
【補正対象書類名】図面
【補正対象項目名】図１０
【補正方法】変更
【補正の内容】
【図１０】
2005057933.tif 000019